(57)【要約】【課題】  ダイケースを機体側から取外すことなく、穿孔ポンチや円筒状ストリッパーを迅速容易に取出して交換できるようにすること。【解決手段】  穿孔ポンチ７をダイケース４の奥部側に装備されたポンチ支持台６に取出可能に嵌込み支持すると共に、穿孔ポンチ７に円筒状ストリッパー９を摺動自由に嵌挿する一方、ダイケース４の奥部側に穿孔ポンチ７に対し選択的に係合及び係合解除可能で常時はその係合により穿孔ポンチ７のポンチ支持台６からの抜出しを阻止する第１エアーシリンダ１１を設けると共に、ダイケース４の先端部側に円筒状ストリッパー９に対し選択的に係合及び係合解除可能で常時はその係合により筒状ストリッパー９の穿孔ポンチ７に対する摺動を許しながら穿孔ポンチ７からの抜出しを阻止する第２シリンダ１２を設け、これら第１、第２シリンダ１１，１２を外部操作により伸縮作動するように構成した。【選択図】  図１
2005118870.tif 000002
【特許請求の範囲】
【請求項１】
穿孔ポンチに筒状ストリッパーを摺動自在に嵌挿して穿孔後に筒状ストリッパーをストリッパーロッドにより押動させることにより素材をダイより押出すようにした穿孔ポンチを備えたホーマーであって、穿孔ポンチをダイケースの奥部側に装備されたポンチ支持台に取出可能に嵌込み支持すると共に、穿孔ポンチに筒状ストリッパーを摺動自由に嵌挿する一方、ダイケースの奥部側に穿孔ポンチに対し選択的に係合及び係合解除可能で常時はその係合により穿孔ポンチのポンチ支持台からの抜出しを阻止する第１シリンダを設けると共に、ダイケースの先端部側に筒状ストリッパーに対し選択的に係合及び係合解除可能で常時はその係合により筒状ストリッパーの穿孔ポンチに対する摺動を許しながら穿孔ポンチからの抜出しを阻止する第２シリンダを設け、これら第１シリンダ及び第２シリンダを外部操作により伸縮作動するように構成したことを特徴とする穿孔ポンチを備えたホーマー。
【請求項２】
第１シリンダ及び第２シリンダとしてエアー又は油圧などの流体シリンダを用いる一方、ダイケースに第１流体シリンダ及び第２流体エアーシリンダに連通する流体連絡通路を設けると共に、ダイケースを挿嵌支持する機体側に、ダイケースの機体側への挿嵌セット時上記流体連絡通路と連通する流体供給通路と、該流体供給通路に流体を供給する流体供給装置とを備えていることを特徴とする請求項１に記載の穿孔ポンチを備えたホーマー。
【発明の詳細な説明】
【発明の詳細な説明】
【技術分野】
【０００１】  本発明は穿孔ポンチに円筒状ストリッパーを摺動自在に嵌挿して穿孔後に円筒状ストリッパーをストリッパーロッドにより押動させることにより素材をダイより押出すようにした穿孔ポンチを備えたホーマーに関する。
【背景技術】
【０００２】  従来、この種の穿孔ポンチ取付装置としては、図４に示すように、穿孔ポンチ２３をポンチ取付台２１に固着して前方へは抜出しできないようにダイ２２内に装備させ、穿孔ポンチ２３には円筒状ストリッパー２４を摺動自在に挿嵌し、その底部２４ａを取付台２１を貫通したストリッパーロッド２５で押動するように構成している。そして、穿孔ポンチ２３や円筒状ストリッパー２４が摩耗又は損傷したような場合に穿孔ポンチ２３や円筒状ストリッパー２４を取出して交換するには、ダイケース２６全体を機体２７より取外してダイケース２６の後端より取付台２１を抜出し、そのうえで取付台２１から穿孔ポンチ２３を取出して交換するようになされている（例えば、特許文献１参照）。【０００３】
【特許文献１】          実公昭５７−５９２２３号公報  （第２頁、第５図）
【発明が解決しようとする課題】
【０００４】  ところが、上記したした穿孔ポンチ取付装置によれば、穿孔ポンチ２３や円筒状ストリッパー２４を取出して交換する場合、上記したようにダイケース２６全体を機体（又はダイブロック）２７より取外してダイケース２６の後端より取付台２１を抜出さないと穿孔ポンチ２３や円筒状ストリッパー２４を交換できず、また、円筒状ストリッパーやストリッパーロッドなど多数の部品をダイケース内に組み込んで一つのユニット形式に組立てるので、その手間も非常に面倒で作業能率の低下を招く問題があった。
【０００５】  本発明は、上記問題点に鑑みなされたもので、ダイケースを機体側から取外すことなく、穿孔ポンチや円筒状ストリッパーを迅速容易に取出して交換することができ、これにより不良品の激減と稼働率を向上できる穿孔ポンチを備えたホーマーの提供を課題とする。
【課題を解決するための手段】
【０００６】  上記課題を解決するため、本願の請求項１に記載の発明は、穿孔ポンチに筒状ストリッパーを摺動自在に嵌挿して穿孔後に筒状ストリッパーをストリッパーロッドにより押動させることにより素材をダイより押出すようにした穿孔ポンチを備えたホーマーであって、穿孔ポンチをダイケースの奥部側に装備されたポンチ支持台に取出可能に嵌込み支持すると共に、穿孔ポンチに筒状ストリッパーを摺動自由に嵌挿する一方、ダイケースの奥部側に穿孔ポンチに対し選択的に係合及び係合解除可能で常時はその係合により穿孔ポンチのポンチ支持台からの抜出しを阻止する第１シリンダを設けると共に、ダイケースの先端部側に筒状ストリッパーに対し選択的に係合及び係合解除可能で常時はその係合により筒状ストリッパーの穿孔ポンチに対する摺動を許しながら穿孔ポンチからの抜出しを阻止する第２シリンダを設け、これら第１シリンダ及び第２シリンダを外部操作により伸縮作動するように構成したことを特徴とする。
【０００７】  また、本願の請求項２の発明は、上記した請求項１に記載の構成における第１シリンダ及び第２シリンダとしてエアー又は油圧などの流体シリンダを用いる一方、ダイケースに第１流体シリンダ及び第２流体エアーシリンダに連通する流体連絡通路を設けると共に、ダイケースを挿嵌支持する機体側に、ダイケースの機体側への挿嵌セット時上記流体連絡通路と連通する流体供給通路と、該流体供給通路に流体を供給する流体供給装置とを備えていることを特徴とする。
【発明を実施するための最良の形態】
【０００８】  以下、本発明の実施の形態を図面に基づいて説明する。【０００９】  図１は、本発明に係る穿孔ポンチを備えたホーマーを示すもので、１はホーマーの機体で前部にはダイブロック２が装架されている。３はダイでダイブロック内に固定したダイケース４内に嵌合され、背部の受体５により受止められている。６は受体５の奥部に嵌合されたポンチ支持台で、ポンチ支持台６には穿孔ポンチ７を取出可能に嵌込み支持している。穿孔ポンチ７には鍔状移動体８を介して円筒状ストリッパー９を摺動自在に挿嵌し、鍔状移動体８の底部８ａを取付台６を貫通した複数のストリッパーロッド１０で押動するように構成している。【００１０】  そして、穿孔ポンチ７にはその奥部一側に係合凹部７ａが形成され、また、円筒状ストリッパー９にはその奥部一側から前方に至る係合段部９ａと先端部近くに穿設された孔部９ｂとが形成されている。また、ダイケース４の奥部側に穿孔ポンチ７の係合凹部９ａに対し選択的に係合及び係合解除可能で常時はその係合により穿孔ポンチ７のポンチ支持台６からの抜出しを阻止する第１エアーシリンダ（第１流体シリンダ）１１を設けると共に、ダイケース１１の先端部側に円筒状ストリッパー９の係合段部９ａに対し選択的に係合及び係合解除可能で常時はその係合により円筒状ストリッパー９の穿孔ポンチ７に対する摺動を許しながら穿孔ポンチ７からの抜出しを阻止する第２エアーシリンダ（第２流体シリンダ）１２を設けている。また、ダイケース４には第１エアーシリンダ１１及び第２エアーシリンダ１２に連通するエアー連絡通路１３（流体連絡通路）を設けると共に、ダイケース４を挿嵌支持するダイブロック４（機体側）に、ダイケース４の機体１側への挿嵌時上記エアー連絡通路１３と連通するエアー供給通路（流体供給通路）１４と、該エアー供給通路１４にエアーを供給するエアー供給装置（流体供給装置）１５とを備え、エアー供給装置１５を操作することにより、上記第１エアーシリンダ１１及び第２エアーシリンダ１２を外部操作により伸縮作動するようになされている。【００１１】  なお、第１エアーシリンダ１１及び第２エアーシリンダ１２は既存のエアーシリンダであるので、その具体的な構成についてはその説明を省略する。【００１２】  また、図２において、１６は穿孔ポンチ７の引抜きパイプであり、該パイプ１６は穿孔ポンチ７とダイ３との間の空間部Ｓを利用してダイケース内方に差し込み可能とした厚みのパイプ材でなり、その先端部には割り溝により弾性的に拡開可能な挟持部１６ａが形成されている。また、図３において、１７は円筒状ストリッパー９の掻出し治具であり、該治具１７は円筒状ストリッパー９の中空部に挿通可能で、その先端部近くに設けた孔部９ｂに引っ掛ける鈎部１７ａを有している。【００１３】  次に、上記した実施の形態の動作を説明する。【００１４】  まず、使用により、穿孔ポンチ７が摩耗又は損傷したような場合に、穿孔ポンチ７を取出して交換するには、まず、エアー供給装置１５を操作して、上記第１エアーシリンダ１１及び第２エアーシリンダ１２へのエアーの供給を停止する。これにより、図２に示すように、第１エアーシリンダ１１及び第２エアーシリンダ１２が短縮して、���孔ポンチ７と第１エアーシリンダ１１との係合を解除すると共に、円筒状ストリッパー９と第２エアーシリンダ１２との係合も同時に解除する。次に、図２の仮想線で示すように、引抜きパイプ１６を穿孔ポンチ７の先端部に挿込んで挟持させ、そのまま図２の実線で示すように引抜きパイプ１６を前方に引き抜けば、ダイケース４から穿孔ポンチ７を取出すことができる。その後、引抜きパイプ１６の挟持部１６ａに新たな穿孔ポンチ７の先端部を挿込んで挟持させ、穿孔ポンチ７をポンチ支持台６に挿込み、エアー供給装置１５を操作して、上記第１エアーシリンダ１１及び第２エアーシリンダ１２へのエアー供給を開始する。これにより、図１に示すように、第１エアーシリンダ１１及び第２エアーシリンダ１２が伸長して、穿孔ポンチ７の係合凹部７ａに第１エアーシリンダ１１が係合すると共に、円筒状ストリッパー９の係合段部９ａに第２エアーシリンダ１２が係合することになる。【００１５】  したがって、穿孔ポンチ７をダイケース４から取出して交換する際、ダイケース４を機体１側のダイブロック２から取外すことなく、穿孔ポンチ７を迅速容易に取出して交換することができる。【００１６】  また、使用により、円筒状ストリッパー９が摩耗又は損傷したような場合に、円筒状ストリッパー９を取出して交換するには、まず、エアー供給装置１５を操作して、上記第１エアーシリンダ１１及び第２エアーシリンダ１２へのエアーの供給を停止する。これにより、図３に示すように、第１エアーシリンダ１１及び第２エアーシリンダ１２が短縮して、穿孔ポンチ７と第１エアーシリンダ１１との係合を解除すると共に、円筒状ストリッパー９と第２エアーシリンダ１２との係合を解除する。次に、ストリッパーロッド１０を前進させて鍔状移動体８を介して円筒状ストリッパー９を図３の仮想線で示すように素材排出位置に位置させる。その後、図３の仮想線で示すように、掻出し治具１７を円筒状ストリッパー９内に挿込み、その先端側の孔部９ｂに鈎部１７ａを引掛ける。そして、そのまま図３において実線で示すように掻出し治具１７を前方に引張って円筒状ストリッパー９を掻出せば、ダイケース４から円筒状ストリッパー９を取出すことができる。その後、穿孔ポンチ７とダイ３との間の空間部Ｓから新たな円筒状ストリッパー９をその奥側へと挿込み、然る後エアー供給装置１５を操作して、上記第１エアーシリンダ１１及び第２エアーシリンダ１２へのエアー供給を開始する。これにより、図１に示すように、第１エアーシリンダ１１及び第２エアーシリンダ１２が伸長して、穿孔ポンチ７の係合凹部７ａに第１エアーシリンダ１１が係合すると共に、円筒状ストリッパー９の係合段部９ａに第２エアーシリンダ１２が係合することになる。【００１７】  したがって、円筒状ストリッパー９をダイケース４から取出して交換する際、ダイケース４を機体１側のダイブロック２から取外すことなく、円筒状ストリッパー９を迅速容易に取出して交換することができる。【００１８】  以上の実施の形態では、一つのエアー供給装置１５で、第１エアーシリンダ１１と第２エアーシリンダ１２との係合及び係合解除を同時に行うように構成したけれども、第１エアーシリンダ１１と第１エアーシ��ンダ１２にそれぞれぞれ個別にエアー供給装置を設けるようにしてもよい。また、エアー供給装置１５によるエアーの供給により第１エアーシリンダ１１及び第２エアーシリンダ１２をそれぞれ伸長させ、エアーの供給解除により第１エアーシリンダ１１及び第２エアーシリンダ１２をそれぞれ短縮させるようにしたけれども、逆にエアー供給装置によるエアーの供給により第１エアーシリンダ及び第２エアーシリンダをそれぞれ短縮させ、エアーの供給解除により第１エアーシリンダ及び第２エアーシリンダをそれぞれ伸長させるようにしてもよいことは勿論である。【００１９】  さらに、第１流体シリンダ１１及び第２流体シリンダ１２としては上述のようにエアーシリンダを用いる他、たとえば油圧シリンダであってもよいことは勿論である。また、ストリッパー９は円筒状の他、角筒状などであってもよい。
【発明の効果】
【００２０】  以上のように本発明によれば、穿孔ポンチをダイケースの奥部側に装備されたポンチ支持台に取出可能に嵌込み支持すると共に、穿孔ポンチに筒状ストリッパーを摺動自由に嵌挿する一方、ダイケースの奥部側に穿孔ポンチに対し選択的に係合及び係合解除可能で常時はその係合により穿孔ポンチのポンチ支持台からの抜出しを阻止する第１シリンダを設けると共に、ダイケースの先端部側に筒状ストリッパーに対し選択的に係合及び係合解除可能で常時はその係合により筒状ストリッパーの穿孔ポンチに対する摺動を許しながら穿孔ポンチからの抜出しを阻止する第２シリンダを設け、これら第１シリンダ及び第２シリンダを外部操作により伸縮作動するように構成したから、ダイケースを機体側から取外すことなく、穿孔ポンチや筒状ストリッパーを迅速容易に取出して交換することができ、これにより不良品の激減と稼働率を向上できる。
【００２１】  また、第１シリンダ及び第２シリンダとしてエアー又は油圧などの流体シリンダを用いる一方、ダイケースに第１流体シリンダ及び第２流体エアーシリンダに連通する流体連絡通路を設けると共に、ダイケースを挿嵌支持する機体側に、ダイケースの機体側への挿嵌セット時上記流体連絡通路と連通する流体供給通路と、該流体供給通路に流体を供給する流体供給装置とを備える構成としたから、ダイケースを機体側へ挿嵌してセットするだけの作業で、第１流体シリンダ及び第２流体シリンダへの流体連絡通路と、流体供給装置の流体供給通路とを同時に連通させることができ、その上、一つの流体供給装置で、第１流体シリンダと第２流体シリンダとの係合及び係合解除を行うことができ、部品点数を少なくして構造の簡素化を図ることができる。
【図面の簡単な説明】
【図１】  本発明ホーマーの要部の縦断側面図である。
【図２】  穿孔ポンチの取出動作を示す縦断側面図である。
【図３】  円筒状ストリッパーの取出動作を示す縦断側面図である。
【図４】  従来の説明図である。
【符号の説明】
１          機体
２          ダイブロック
３          ダイ
４          ダイケース
６          ポンチ支持台
７          穿孔ポンチ
９          円筒状ストリッパー
１１        第１エアーシリンダ（第１油圧シリンダ）
１２        第２エアーシリンダ（第２油圧シリンダ）
１３        エアー連結通路（油圧連結通路）
１４        エアー供給通路（油圧供給通路）
１５        エアー供給装置（油圧供給装置）
【図１】
2005118870.tif 000003
【図２】
2005118870.tif 000004
【図３】
2005118870.tif 000005
【図４】
2005118870.tif 000006